(57)【要約】【課題】振幅の小さい小振動時にその振動を有効的に減衰することができながら、振幅の大きい大振動時にもその振動を有効的に減衰することができる粘弾性体ダンパーを提供する。【解決手段】振動により粘弾性体層４にせん断変形を行わせて振動エネルギーを吸収するようになされた粘弾性体ダンパー１において、摩擦ダンパー５，６が組み合わされている。該摩擦ダンパー５，６は、前記粘弾性体層４のせん断変形動作に連動して摩擦動作を行って振動エネルギーを吸収するようになされており、かつ、原点位置からの距離が大きくなるに連れて摩擦力が小さくなるように構成されている。【選択図】      図１
2009127827.tif 000002
【特許請求の範囲】
【請求項１】
振動により粘弾性体にせん断変形を行わせて振動エネルギーを吸収するようになされた粘弾性体ダンパーにおいて、
摩擦ダンパーが組み合わされ、
該摩擦ダンパーは、前記粘弾性体のせん断変形動作に連動して摩擦動作を行って振動エネルギーを吸収するようになされており、かつ、原点位置からの距離が大きくなるに連れて摩擦力が小さくなるように構成されていることを特徴とする摩擦ダンパー利用の粘弾性体ダンパー。
【発明の詳細な説明】
【技術分野】
【０００１】
本発明は、摩擦ダンパー利用の粘弾性体ダンパーに関する。
【背景技術】
【０００２】
建物などに用いられる制振手段として、振動により粘弾性体にせん断変形を行わせて振動エネルギーを吸収するようになされた粘弾性体ダンパーを用いたものは、従来より種々提供されている。
【特許文献１】特開２００６−１５２７８８号公報
【特許文献２】特開２００６−２８３３７４号公報
【発明の開示】
【発明が解決しようとする課題】
【０００３】
しかしながら、粘弾性体ダンパーは、振幅の大きい大振動時には大きな減衰力を得ることができるが、振幅の小さい小振動時には、荷重−変形関係の履歴が小さいため、小さな減衰力しか得られないという性質を有し、そのため、振幅の小さい小振動時に大きな減衰力を得ることができるように構成すると、振幅の大きい大振動時の減衰力が大きくなりすぎて、周辺部材の損傷、破壊を招いてしまうという問題がある。
【０００４】
本発明は、上記のような問題点に鑑み、振幅の小さい小振動時にその振動を有効的に減衰することができながら、振幅の大きい大振動時にもその振動を有効的に減衰することができる粘弾性体ダンパーを提供することを課題とする。
【課題を解決するための手段】
【０００５】
上記の課題は、振動により粘弾性体にせん断変形を行わせて振動エネルギーを吸収するようになされた粘弾性体ダンパーにおいて、
摩擦ダンパーが組み合わされ、
該摩擦ダンパーは、前記粘弾性体のせん断変形動作に連動して摩擦動作を行って振動エネルギーを吸収するようになされており、かつ、原点位置からの距離が大きくなるに連れて摩擦力が小さくなるように構成されていることを特徴とする摩擦ダンパー利用の粘弾性体ダンパーによって解決される。
【０００６】
このダンパーでは、振幅の小さい小振動時には、粘弾性体のせん断変形のみによっては不足する減衰力が、摩擦ダンパーによる摩擦力によって高められ、振幅の小さい小振動時にその振動を有効的に減衰することができる。
【０００７】
しかも、このように、粘弾性体を、振幅の小さい小振動時に大きな減衰力を得ることができるように構成する必要がなくなると共に、振幅の大きい大振動時には、摩擦ダンパーによる摩擦力が小さくなって、振幅の大きい大振動時にもその振動を有効的に減衰することができる。
【発明の効果】
【０００８】
本発明の粘弾性体ダンパーは、以上のとおりのものであるから、振幅の小さい小振動時にその振動を有効的に減衰することができながら、振幅の大きい大振動時にもその振動を有効的に減衰することができる。
【発明を実施するための最良の形態】
【０００９】
次に、本発明の実施最良形態を図面に基づいて説明する。
【００１０】
図１及び図２に示す第１実施形態の粘弾性体ダンパー１において、２は上プレート、３，３は下プレートであり、下プレート３，３間に上プレート２が配置されると共に、プレート２，３，３間に粘弾性体層４，４が接着状態に介設され、上プレート２と下プレート３，３とが地震等の振動により左右方向に相対変位をすると、粘弾性体層４，４がせん断変形をして振動エネルギーを吸収し、振動を減衰するようになされている。
【００１１】
そして、該粘弾性体ダンパー１に、摩擦ダンパーが組み合わされている。即ち、上下のプレート２，３間の重なり部分において、粘弾性体層４を挟む上下両側には、下プレート３の側において左右方向の中央部に摩擦材５，５が取り付けられると共に、上プレート２の側において左右方向に延びる摩擦面６，６が設けられ、上プレート２と下プレート３，３とが振動により面内左右方向に相対変位をすると、それに連動して、摩擦材５と摩擦面６とが摺擦して摩擦動作を行い、振動エネルギーを吸収するようになされている。
【００１２】
この摩擦ダンパーにおいて、本実施形態では、摩擦面６は、図１（ハ）に示すように、左右方向の中央部分６ａないしは中間部分が摩擦係数の大きい摩擦面に形成されており、該摩擦面中央部分６ａを挟む両側部分６ｂ，６ｂがそれよりも摩擦係数の小さい摩擦面に形成され、それにより、原点位置からの距離が大きくなるに連れて摩擦力が小さくなるように構成されている。
【００１３】
このような構成により、図２（イ−１）（イ−２）に示すように、振幅の小さい小振動時には、粘弾性体層４，４のせん断変形のみによっては不足する減衰力が、摩擦ダンパー機構部５，６による摩擦力によって高められ、また、図２（ロ−１）（ロ−２）に示すように、振幅の大きい大振動時には、摩擦ダンパー機構部５，６による摩擦力が小さくなって、粘弾性体層４，４と摩擦ダンパー機構部５，６とによる減衰力が過大となるのが防がれ、それにより、振幅の小さい小振動時にその振動を有効的に減衰することができ、しかも、振幅の大きい大振動時にもその振動を有効的に減衰することができる。
【００１４】
図３に示す第２実施形態の摩擦ダンパー利用の粘弾性体ダンパー１は、摩擦面６の摩擦係数は左右方向において一定であるが、図３（ニ）に示すように、左右方向の中央部分６ｃないしは中間部分を挟む両側部分６ｄ，６ｄがそれぞれ、摩擦材５との押し合い力を弱くしていくように傾斜した構造となっていて、それにより、原点位置からの距離が大きくなるに連れて摩擦力が小さくなるように構成されているもので、その他は第１実施形態と同様である。
【００１５】
この場合も、振幅の小さい小振動時には、粘弾性体層４，４のせん断変形のみによっては不足する減衰力が、摩擦ダンパー機構部５，６による摩擦力によって高められ、また、振幅の大きい大振動時には、摩擦ダンパー機構部５，６による摩擦力が小さくなって、粘弾性体層４，４と摩擦ダンパー機構部５，６とによる減衰力が過大となるのが防がれ、振幅の小さい小振動時にその振動を有効的に減衰することができ、しかも、振幅の大きい大振動時にもその振動を有効的に減衰することができる。
【００１６】
以上に、本発明の実施形態を示したが、本発明はこれに限られるものではなく、発明思想を逸脱しない範囲で各種の変更が可能である。例えば、上記の実施形態では、特定構造の摩擦材５と摩擦面６とで構成された摩擦ダンパー機構部を採用し、これを特定構造の粘弾性体ダンパー１に組み込むかたちで組み合わせた場合を示したが、摩擦ダンパーは、要は、粘弾性体のせん断変形動作に連動して摩擦動作を行い、振動エネルギーを吸収するようになされており、かつ、原点位置からの距離が大きくなるに連れて摩擦力が小さくなるように構成されていればよく、各種構造形態の摩擦ダンパーが採用されてよいし、適用する粘弾性体ダンパーの構造形態についても制限はないし、粘弾性体ダンパーに組み込むことなく組み合わされた構造であってもよい。
【図面の簡単な説明】
【００１７】
【図１】第１実施形態の摩擦ダンパー利用の粘弾性体ダンパーを示すもので、図（イ）は側面図、図（ロ）は正面図、図（ハ）は上プレートの正面図である。
【図２】図（イ−１）、図（イ−２）、図（ロ−１）及び図（ロ−２）は、同粘弾性体ダンパーの作動状態を示す説明図である。
【図３】第２実施形態の摩擦ダンパー利用の粘弾性体ダンパーを示すもので、図（イ）は側面図、図（ロ）は正面図、図（ハ）は上プレートの正面図、図（ニ）は図（ハ）のＩ−Ｉ線矢視断面図である。
【符号の説明】
【００１８】
１…摩擦ダンパー利用の粘弾性体ダンパー
４…粘弾性体層（粘弾性体）
５…摩擦材（摩擦ダンパー機構部）
６…摩擦面（摩擦ダンパー機構部）
【図１】
2009127827.tif 000003
【図２】
2009127827.tif 000004
【図３】
2009127827.tif 000005